(57)【要約】【課題】輸送の際に混載されても臭い移りのない包装フィルム輸送体を提供すること。【解決手段】本発明の包装フィルム輸送体は、芯材に巻回された包装フィルム巻回体が複数本取りまとめられてなり、該複数の包装フィルム巻回体の最外周部にダンボールを巻回して輸送に供する包装フィルム輸送体であって、該芯材に巻回された包装フィルム巻回体が、それぞれ個別に、臭いバリア性材料によって包装されていることを特徴としている。【選択図】図２
2015048125.tif 000002
【特許請求の範囲】
【請求項１】
芯材に巻回された包装フィルム巻回体が複数本取りまとめられてなり、該複数の包装フィルム巻回体の最外周部にダンボールを巻回して輸送に供する包装フィルム輸送体であって、該芯材に巻回された包装フィルム巻回体が、それぞれ個別に、臭いバリア性材料によって包装されていることを特徴とする包装フィルム輸送体。
【請求項２】
上記芯材に巻回された包装フィルムの最外周部に臭いバリア性の低いフィルムが巻回されてなり、該臭いバリア性の低いフィルムが巻回された包装フィルム巻回体が、それぞれ個別に、臭いバリア性材料によって包装されていることを特徴とする請求項１に記載の包装フィルム輸送体。
【請求項３】
上記複数の包装フィルム巻回体に結束フィルムを巻回して、該複数の包装フィルム巻回体を取りまとめ、該結束フィルムの外側にダンボールを巻回することを特徴とする請求項１に記載の包装フィルム輸送体。
【請求項４】
上記臭いバリア性材料が、ポリエステルからなる層を有する積層フィルムで形成された袋状体であることを特徴とする請求項1に記載の包装フィルム輸送体。
【発明の詳細な説明】
【技術分野】
【０００１】
本発明は、被包装物を包装するために使用するフィルムの輸送体に関する。さらに詳しくは本発明は、輸送中に他の物品と混載されてもフィルムに臭い移りしにくいフィルムの輸送体に関する。
【背景技術】
【０００２】
食品などの包装に各種合成樹脂フィルムあるいは合成樹脂フィルム積層体（以下、これらを総称して「包装フィルム」と記載することもある。）が使用されている。
このような包装フィルムは、芯材に巻回され、最外層をポリエチレンあるいはポリプロピレンなどのポリオレフィン樹脂フィルムで囲繞してダンボール箱に入れて一般貨物と混載されて使用者のもとへ輸送されるのが一般的である。
【０００３】
ここで包装フィルムを囲繞するポリオレフィン樹脂フィルムは臭いバリア性が低いことから、混載される輸送物に臭いの強いものがあると輸送中にその臭気がポリオレフィン樹脂フィルムを透過して包装フィルムに移ってしまう。
【０００４】
この包装フィルムは、食品などを包装するために使用することから、臭い移りが生じたフィルムは食品などの包装には使用することができないという問題が発生する。
また、巻回・囲繞された包装フィルムは、個別独立にダンボール箱に収容されて輸送されるため、包装フィルムを使用した後は多量のダンボールが残り、これを処分するのに多大な費用を要するとの問題もある。
【０００５】
なお、特許文献１（特開平6-240177号公報）には、食品を容器にいれて冷蔵庫などで保存する際に使用される食品包装フィルムの発明が開示されている。特許文献１には、従来のポリ塩化ビニリデン樹脂フィルム、ポリ塩化ビニル樹脂フィルム、低密度ポリエチレンフィルム等の代わりに、「（A）ポリエステル樹脂１００重量部に（B）グリセリンの３個の水酸基の内１個の水酸基が炭素数４〜３０の脂肪属モノカルボン酸によりエステル化され、少なくとも１個の水酸基がアセチル化されたグリセリンエステル化合物１〜１５重量部を配合してなる食品包装フィルム用ポリエステル樹脂組成物。」の発明が開示されている。
【０００６】
しかしながら、特許文献１には、食品を容器にいれて冷蔵庫などで保存する際に使用される食品包装フィルムの発明が開示されているのであり、ポリエステルが臭いバリア性に優れていることは記載されているものの、このようなポリエステルからなるフィルムを食品包装用などのフィルムを包装するのに使用することに関しては記載されていない。
【先行技術文献】
【特許文献】
【０００７】
【特許文献１】特開平6-240177号公報
【発明の概要】
【発明が解決しようとする課題】
【０００８】
本発明は、他の物品と混載して輸送したとしても、臭い移りが少なく、しかも使用するダンボール量を低減できる包装フィルム輸送体を提供することを目的としている。
【課題を解決するための手段】
【０００９】
本発明の包装フィルム輸送体は、芯材に巻回された包装フィルム巻回体が複数本取りまとめられてなり、該複数の包装フィルム巻回体の最外周部にダンボールを巻回して輸送に供する包装フィルム輸送体であって、該芯材に巻回された包装フィルム巻回体が、それぞれ個別に、臭いバリア性材料によって包装されていることを特徴としている。
【００１０】
また、本発明の包装フィルム巻回体は、上記芯材に巻回された包装フィルムの最外周部に臭いバリア性の低いフィルムが巻回されてなり、該臭いバリア性の低いフィルムが巻回された包装フィルム巻回体が、それぞれ個別に、臭いバリア性材料によって包装されていることが好ましい。
【００１１】
さらに本発明の包装フィルム輸送体は、上記複数の包装フィルム巻回体に結束フィルムを巻回して、該複数の包装フィルム巻回体を取りまとめ、該結束フィルムの外側にダンボールを巻回するものであることが好ましい。
【００１２】
また、本発明の包装フィルム輸送体は、通常は上記芯材に巻回された包装フィルムを２〜２０本パレット上に積載して移送するものである。
さらに、本発明の包装フィルム輸送体においては、上記臭いバリア性材料は、ポリエステルからなる層を有する積層フィルムから形成された袋状体であることが好ましい。
【００１３】
このポリエステルからなる層を有する積層フィルムは、ポリブチレンテレフタレート層／変性ポリエチレン層／ポリアミド層／変性ポリエチレン層／ポリエチレン層を含む積層フィルムまたはポリエチレンテレフタレート層／変性ポリエチレン層／ポリアミド層/変性ポリエチレン層／ポリエチレン層を含む積層フィルムであることが好ましい。
【００１４】
さらに、本発明の包装フィルム輸送体は、食品を包装するためのフィルムの包装体であることが好ましい。
【発明の効果】
【００１５】
本発明によれば、芯材に巻回された包装フィルム巻回体の周囲をポリエチレンフィルムなどで囲繞し、この巻回体を臭いバリア性材料を用いて包装し、この包装フィルム巻回体を複数本例えばパレットに積載し、この積載された複数の包装フィルム巻回体を結束用フィルムで巻回し、さらにこの結束用フィルムの上からダンボールを巻回して全体を輸送体として一体化している。
【００１６】
このように包装フィルム巻回体を個別独立に臭いバリア性の高い包装材料で包装しているので、本発明の包装フィルムが臭気の強い貨物と混載されたとしても本発明の包装フィルムに混載された貨物の臭気が移りにくい。
【００１７】
さらに本発明では、巻回された包装フィルムを個々にダンボール箱にいれるのではなく、臭いバリア性の高いフィルム材料を用いて包装し、こうして包装された包装フィルムを複数本まとめてダンボールで囲繞するだけなので、使用するダンボールの量を著しく低減することができる。
【図面の簡単な説明】
【００１８】
【図１】図１は、本発明の包装フィルム輸送体を構成する一本の柱状体を示す部分切欠斜視図である。
【図２】図２は、本発明の包装フィルム輸送体の一例を示す部分切欠斜視図である。
【発明を実施するための形態】
【００１９】
次に本発明の包装フィルム輸送体について図面を参照しながら詳細に説明する。
図１は、本発明の輸送体を構成する一本の包装フィルム巻回体の荷姿を示す部分切欠斜視図であり、図２は、芯材２に巻回された包装フィルム巻回体１５の周囲がフィルム８で囲繞され、この囲繞体の周囲に臭いバリア性材料９で包装した柱状体４を複数個パレット１４に積載し、この複数の柱状体４の周囲に結束用フィルム１０を複数の柱状体４を取りまとめるように巻回し、さらに結束用フィルム１０の外側にダンボール１２を巻回した状態を示す一部切欠斜視図である。
【００２０】
芯材２は、包装フィルムの巻回に耐えるように硬質のものであれば特に制限はされないが、本発明では、金属棒、金属筒、樹脂筒、紙から形成された円筒などが好ましく用いられる。
【００２１】
この芯材２に巻取られる樹脂フィルムに特に制限はなく、合成樹脂フィルム、異なる種類の合成樹脂からなる合成樹脂フィルム積層体などを挙げることができる。また、この樹脂フィルムは、蒸着などの方法により、金属層を含むものであってもよい。
【００２２】
また、この樹脂フィルムの厚さについても特に制限はないが、通常は３０μｍ〜１ｍｍ、好ましくは５０μｍ〜０．５ｍｍである。
上記のような樹脂フィルムを巻回した柱状体４は、図１に示すように、その最外層がポリエチレン、ポリプロピレンなどのポリオレフィンからなるフィルム８で巻回されている。ここで使用されるフィルム８に特に制限はないが、巻取られたフィルムを固定するものであればよく、通常はポリエチレン、ポリプロピレンなどのポリオレフィンからなるフィルムが使用される。
【００２３】
ここで使用されるポリオレフィンフィルム８は、臭いバリア性が低いので、このままで他の物品と混載して輸送されると、臭いの強い物品と混載した場合に包装フィルム巻回体１５に臭いが移ることがある。包装フィルム巻回体１５を食品の包装に使用する場合には臭い移りにより食品の特性を損なうことがあり、思わぬ損失を被ることがある。
【００２４】
本発明ではこうした臭い移りを防止する為に、芯材２に巻回され、周囲がフィルム８で囲繞された包装フィルム巻回体１５を、それぞれ個別に臭いバリア性材料９で包装する。
ここで使用する臭いバリア性材料９としては、ポリエステル樹脂層を含む積層体を用いることが好ましい。ここで使用されるポリエステル樹脂としては、ポリブチレンテレフタレート、ポリエチレンテレフタレート、ＰＥＴ−Ｇなどを挙げることができる。さらに、臭いバリア性材料を形成する樹脂としてはポリアミドも優れており、６-ナイロンTM、６,６-ナイロンTMなどポリアミドとして通常知られているポリアミド樹脂を使用することができる。
【００２５】
ここで使用する臭いバリア性材料９は、上記のような樹脂からなる単独樹脂フィルムであってもよいが、特性の異なる複数の樹脂からなる層を有する積層体であることが好ましい。
【００２６】
このような複数の樹脂からなる層を積層するに際しては各層をバインドするバインダー層を設けることが好ましく、例えばポリエステル層とポリアミド層、ポリアミド層とポリオレフィン層とを接合するために、カルボン酸変性ポリオレフィン層を介在させることが好ましい。
【００２７】
本発明で採用することが好ましい積層体の例としては、
ポリブチレンテレフタレート層／変性ポリエチレン層／ポリアミド層／変性ポリエチレン層／ポリエチレン層を含む積層フィルム
および
ポリエチレンテレフタレート層／変性ポリエチレン層／ポリアミド層／変性ポリエチレン層／ポリエチレン層を含む積層フィルム
を挙げることができる。
【００２８】
なお、上記積層フィルムにおいてポリエチレン層を基材層として用いることが好ましい。
このような積層体において、各層の厚さはその機能によって適宜設定することができるが、ポリエステル層は、通常は４〜３０μｍ、好ましくは５〜２０μｍであり、ポリアミド層は通常は４〜３０μｍ、好ましくは５〜２０μｍである。
【００２９】
本発明で用いる臭いバリア性材料は、包装フィルム巻回体１５を包装することができる形態であればよく、臭いバリア性材料９の形状に特に制限はなく、フィルム状にして柱状体４全体を包み込んでもよいし、袋状にして柱状体４をこの袋状体に収容してもよい。図１および図２には、臭いバリア材料９を袋状にしてこの袋状体内に包装フィルム巻回体１５を収容する態様が示されている。
【００３０】
例えば上記のように袋状の臭いバリア材料９に包装フィルム巻回体１５を収容した後、包装フィルム巻回体１５を入れるための開口部を封鎖する。この開口部の封鎖には外部の空気の臭いバリア性材料９内の空気が遮断されるものであれば特に限定なく使用することができ、例えばゴムバンド、結束テープなどを用いることもできるし、また、ヒートシールなどで封印してもよい。
【００３１】
上記のように臭いバリア性材料９で周囲が包装された柱状体４は、図２に示すように、複数本をパレット１４に積載して輸送に供する。
本発明においては、２〜２０本の柱状体４をパレット１４に積載して輸送に供することができる。
【００３２】
このようにパレット１４に積載された複数の柱状体４、これらを取りまとめるように、結束フィルム１０で囲繞される。ここで使用される結束フィルム１０は、パレット１４に積載された複数の柱状体４を一体化して荷崩れなどを防止するものであり、強度が要求され、通常はこの結束用フィルム１０の厚さは５０μｍ〜１００μｍの範囲内にある。この結束フィルム１０でパレットに積載された複数の柱状体４が荷崩れを起こさないように、通常は２〜３回柱状体の集合体を巻回する。このような結束フィルム１０を用いて上記のように巻回することにより、複数の柱状体４が荷崩れを起こすことがない。
【００３３】
ここで使用される結束フィルム１０は特に臭いバリア性を必要とするものではなく、荷崩れを起こさない強度があればよく、例えばポリエチレンフィルム、ポリプロピレンフィルムなどのポリオレフィンフィルムが好適に使用される。
【００３４】
上記のように結束用フィルム１０を配した後、この結束用フィルム１０の周囲にダンボール１２を配置する。このようにダンボール１２を最外層に配置することにより、このダンボール１２が緩衝剤になって、結束用フィルム１０あるいは周囲がフィルム８で囲繞された包装フィルム巻回体１５を保護することができる。
【００３５】
このダンボール１２は包装フィルム巻回体の輸送体１を少なくとも一回巻回すれば充分であるが、必要によりさらに巻回してもよい。
なお、巻回されたダンボールは結束体（図示なし）により固定される。
【００３６】
本発明の輸送体は、通常は上記のようにして包装された包装フィルム巻回体の輸送体１をパレット１４に積載し、他の荷物と一緒に混載されて輸送される。
輸送に際しては、パレット毎に輸送手段に積載されるので、他のパレットに臭気の強い物品が積載されて、混載されると、本発明の包装フィルム巻回体１５に臭いが移る可能性があるが、本発明では臭いバリア性の高いフィルム材料９を用いて包装フィルム巻回体１５を個別独立に包装しているので、臭い移りを有効に防止することができる。
【００３７】
また、包装フィルム巻回体１５を個別独立にダンボール箱に収容しないので使用するダンボールの量が著しく少なくなり、コスト低減にも繋がる。
なお、上記説明は、主として食品を包装する包装フィルム巻回体について説明したが、この包装フィルム巻回体は、食品の包装だけでなく、例えば電子部品等の包装に使用することもできる。
【００３８】
また、本発明はその目的を逸脱しない範囲内で種々改変することができる。例えば、使用する各種フィルムには、色材を配合して着色することもできるし、従来公知の可塑剤、紫外線防止剤、耐候性成分、充填剤などを配合することもできる。
【実施例】
【００３９】
次に本発明の実施例を示して本発明をさらに詳細に説明するが本発明はこれらによって限定されるものではない。
〔実施例１〕
紙で形成された筒状の芯材にポリエチレン／変性ポリエチレン層／ポリアミド層／変性ポリエチレン層／ポリエチレンからなる平均厚さ１２０μｍの積層体を巻回した。
【００４０】
このようにして形成した柱状体の外周に平均厚さ５０μｍのポリエチレンからなるフィルムで囲繞した。
上記のようにして形成した柱状体を、それぞれポリブチレンテレフタレート層／変性ポリエチレン層／ポリアミド層／変性ポリエチレン層／ポリエチレン層からなる積層フィルムからなる袋状体で包装して密封した。なお、この積層フィルムの平均厚さは６０μｍである。
【００４１】
このようにして包装された包装フィルム巻回体を、パレットに１６本積載し、これらを取りまとめるように平均厚さ２０μｍの結束フィルム（ポリエチレンフィルム）で２回巻回して一体化した。
【００４２】
次いで、この上にダンボールを一回巻回して結束体で固定した。
上記のようにして準備したパレットを運送業者のトラックに他の物品と共に混載して輸送した。
【００４３】
輸送先で、袋状体を撤去して調べた結果、包装フィルム巻回体に臭い移りは認められなかった。
また、ダンボール箱を用いた場合と比較して、処分しなければならないダンボールの量は著しく低減された。
【符号の説明】
【００４４】
１・・・輸送体
２・・・芯材
４・・・柱状体
８・・・フィルム（ポリオレフィンフィルム）
９・・・臭いバリア性材料
１０・・・結束用フィルム
１２・・・ダンボール
１４・・・パレット
１５・・・包装フィルム巻回体
【図１】
2015048125.tif 000003
【図２】
2015048125.tif 000004